(57)【要約】【課題】ドアのレイアウト自由度も高めることのできるハンドル装置の提供を目的とする。【解決手段】車両のドア１に固定されるハンドルベース２に回転自在に連結され、手掛け部３の背面にアーム部４を突設した操作ハンドル５への回転操作によりドア１に固定されるドアロック装置６を動作させる車両のドアハンドル装置Ａであって、  前記ハンドルベース２には、一端部に前記ドアハンドル装置Ａへの伝達ケーブル７を連結する出力部８を備えた変換レバー９が中央部において操作ハンドル５の回転面に平行な面内で揺動自在に連結されるとともに、  該変換レバー９の他端部は変換レバー９の揺動中心と前記アーム部４のハンドルベース２への連結点との中間部においてアーム部４に回り・滑り対偶で連結され、  操作ハンドル５の回転操作時における手掛け部３のドア１への投影面内での移動方向が引っ張り方向となる伝達ケーブル７によりドアロック装置６を作動させる。【選択図】  図３
2010133216.tif 000002
【特許請求の範囲】
【請求項１】
車両のドアに固定されるハンドルベースに回転自在に連結され、手掛け部の背面にアーム部を突設した操作ハンドルへの回転操作によりドアに固定されるドアロック装置を動作させる車両のドアハンドル装置であって、
前記ハンドルベースには、一端部に前記ドアハンドル装置への伝達ケーブルを連結する出力部を備えた変換レバーが中央部において操作ハンドルの回転面に平行な面内で揺動自在に連結されるとともに、
該変換レバーの他端部は変換レバーの揺動中心と前記アーム部のハンドルベースへの連結点との中間部においてアーム部に回り・滑り対偶で連結され、
操作ハンドルの回転操作時における手掛け部のドアへの投影面内での移動方向が引っ張り方向となる伝達ケーブルによりドアロック装置を作動させる車両のドアハンドル装置。
【請求項２】
前記変換レバーは、操作ハンドルのアーム部に隣接して配置されるとともに、
前記回り・滑り対偶は、前記アーム部と変換レバーのいずれか一方に形成された長溝と、
他方に突設され、前記長溝に空転、かつ摺動自在に挿入する駆動突部とからなる請求項１記載の車両のドアハンドル装置。
【請求項３】
前記駆動突部は２枚の取付片に両端が連結されて該取付片間に架設されるとともに、
前記長溝は、前記取付片間に挿入される溝形成片に設けられる請求項２記載の車両のドアハンドル装置。
【請求項４】
前記長溝と駆動突部の当接部の少なくともいずれか一方が合成樹脂材により形成されて衝接音の発生が防止される請求項２または３記載の車両のドアハンドル装置。
【請求項５】
前記変換レバーは、両端を対偶点と揺動中心とする主片部から出力部を備えた作動片部を突出させた側面視く字形状の板材により形成され、
前記主片部をドア表面に沿わせるとともに、作動片部をハンドルベースの背面から突出させて装着した請求項２、３または４記載の車両のドアハンドル装置。
【請求項６】
前記ハンドルベースには、前記伝達ケーブルのアウタケーシングを固定するためのケーブル固定部が設けられる請求項１から５のいずれかに記載記載の車両のドアハンドル装置。
【請求項７】
前記変換レバーには、操作ハンドルへのドア開放操作方向への慣性力を相殺するカウンタウエイトが連結される請求項１から６のいずれかに記載の車両のドアハンドル装置。
【請求項８】
前記カウンタウエイトが変換レバーに一体形成される請求項７記載の車両のドアハンドル装置。
【請求項９】
手掛け部を上方に引き上げて操作ハンドルを回転操作するプルアップ式ハンドル装置として構成されてドアに固定される請求項１から５のいずれかに記載のドアハンドル装置と、
アウタケーシング内にインナケーブルを移動自在に挿入してなり、前記変換レバーの出力部にインナケーブルの一端が連結されるとともに、ドアハンドル装置より下方に配置されてドアに固定されるドアロック装置に前記インナケーブルの他端が連結されるプル動作式の伝達ケーブルとを有するドアロック操作装置。
【発明の詳細な説明】
【技術分野】
【０００１】
本発明は車両のドアハンドル装置に関するものである。
【背景技術】
【０００２】
車両のドアに固定されるドアロック装置を操作するためにドアに取り付けられるハンドル装置としては、特許文献１に記載のものが知られている。この従来例において、ハンドル装置は、ベース（ハンドルベース）に操作部（操作ハンドル）を回転操作自在に連結して形成される。ドアへの取り付け状態において操作ハンドルは手掛け部を引き出すように垂直回転操作され、この操作ハンドルへの操作力を伝達ケーブルを介してドアロック装置に伝達して該ドアロック装置を操作する。
【０００３】
操作ハンドルを垂直回転させてその下方に配置されるドアロック装置を操作する所謂プルアップタイプのハンドル装置として構成される上記従来例において、操作ハンドルへの引き上げ方向の操作力を引っ張り力に変換して伝達ケーブルに伝達するために、ハンドルベースには、操作力変換を行うための出力レバーが装着される。
【０００４】
この出力レバーは、中央部が操作ハンドルの操作面にほぼ直交する面内で垂直回転自在にハンドルベースに連結され、操作ハンドルの下方への変位を一端部に与え、他端から上方、すなわちケーブルの引っ張り操作力を得る。
【先行技術文献】
【特許文献】
【０００５】
【特許文献１】特許第４０３１２０５号公報
【発明の概要】
【発明が解決しようとする課題】
【０００６】
しかし、上述した従来例は、出力レバーが操作ハンドルの動作面に対して交差する面内で揺動するために、可動域を含めた出力レバーのハンドルベースに対する投影面積が大きくなる。可動域のハンドルベースに対する投影面積が大きくなると、ドア内に配置される例えばガラス、サッシ等のドア内配置部品との干渉機会が多くなるために、ハンドル装置の背面部に大きな可動スペースを用意する必要が生じ、レイアウトの自由度を低下させる。
【０００７】
本発明は、以上の欠点を解消すべくなされたものであって、ドア内での大きなスペースを要することなく操作力方向変換を可能にすることによって安価なプル式伝達ケーブルによるドアロック装置への操作力伝達を可能にし、かつ、ドアのレイアウト自由度も高めることのできるハンドル装置の提供を目的とする。また、本発明の他の目的は、上記ハンドル装置を使用したドアロック操作装置の提供にある。
【課題を解決するための手段】
【０００８】
ドアハンドル装置Ａは、ハンドルベース２に操作ハンドル５を回転自在に連結して形成され、ハンドルベース２には、操作ハンドル５の操作面に平行な面内で揺動自在に変換レバー９が連結される。一端部に出力部８を備えた変換レバー９は、他端部が変換レバー９の揺動中心と前記アーム部４のハンドルベース２への連結点との中間部においてアーム部４に回り・滑り対偶で連結され、ハンドルベース２、操作ハンドル５、および変換レバー９は、スライダクランク機構を構成する。
【０００９】
操作ハンドル５の回転操作に伴って、上記位置関係でリンク機構の要素として動作する変換レバー９は、操作ハンドル５の回転方向と逆方向に回転する。この結果、ドアハンドル装置Ａが、操作ハンドル５への操作時に手掛け部３を上方に引き上げるようにドア１に
配置される場合には、変換レバー９の出力部８も上方に、手掛け部３を下方に引き下ろすように配置される場合には下方に、左右に引き起こされるように配置される場合には左右に移動する。
【００１０】
したがって、この発明において、手掛け部３の操作方向と同一方向の操作力を変換レバー９の出力部８から出力することができるために、例えば、ハンドル装置に下方にドアロック装置６が配置され、ハンドル装置の手掛け部３を上方に引き上げるようにして操作ハンドル５を回転操作する一般的なプルアップハンドルにおいて、操作ハンドル５への操作力を引っ張り力としてドアロック装置６に伝達することができる。
【００１１】
また、変換レバー９は操作ハンドル５の操作面と平行する面内で揺動するために、変換レバー９の可動域を含めたドア１表面への投影面上での投影面積を可及的に小さくすることができる。例えば変換レバー９を薄板材により形成した場合の変換レバー９の投影面への投影面積は、板厚と、操作ハンドル５の開放方向への可動長を含めた長さの積で求められ、投影面への投影面積が大きく、かつ、投影面に平行な面で揺動するために投影面上での可動域を含めた変換レバー９の専有面積が大きな従来例に比して、専有面積が極めて小さくなる。
【００１２】
この結果、従来例においては、ハンドル装置の背面部に広い範囲の可動スペースを設定することが求められるのに対し、本発明においては、変換レバー９の直線的な可動範囲のみにスリット状の可動スペースを設定すればよく、レイアウトの自由度が飛躍的に向上する。
【００１３】
さらに、変換レバー９と操作ハンドル５のアーム部４は回り・滑り対偶により連結状態が維持されるために、相互に離隔することがない。このため、いずれか一方を他方に強制追随させるためのスプリング等が不要となり、構造が簡単になる。
【００１４】
また、変換レバー９をアーム部４に隣接させて並置すると、相互の摺接面に対偶を構成することができるために、構造を簡単にすることが可能になる。
【００１５】
この場合、変換レバー９、あるいはアーム部４のいずれか一方に形成される２枚の取付片２３、２３に駆動突部１１の両端を固定することによって該駆動突部１１を両端支持状態とするとともに、他方、すなわち、アーム部４、あるいは変換レバー９を取付片２３、２３間に 挟み込むようにして配置して長溝１０を形成すると、駆動突部１１が片持梁状に形成されている場合に比して、該駆動突部１１が形成される側の部材へのねじり方向の荷重が小さくなるために、軌道のゆがみを少なくすることができ、操作力の伝達効率を向上させることが可能になる。
【００１６】
さらに、変換レバー９を、両端を対偶点と揺動中心とする主片部１２から出力部８を備えた作動片部１３を突出させた側面視く字形状の板材により形成し、主片部１２をドア１表面に沿わせるとともに、作動片部１３をハンドルベース２の背面から突出させて装着すると、手掛け部３を引き出し操作した際のハンドル装置の背面への突出要素を変換リンクの出力部８だけにすることができるために、よりレイアウト自由度を高めることができる。
【発明の効果】
【００１７】
本発明によれば、ドア内での大きなスペースを要することなく操作力方向変換を可能にすることができるために、ドアのレイアウト自由度も高めることができる。
【図面の簡単な説明】
【００１８】
【図１】ドアロック操作装置を示す図で、（ａ）は正面図、（ｂ）は（ａ）の１Ｂ方向矢視図、（ｃ）は伝達ケーブルの先端部を示す（ｂ）の１Ｃ方向矢視図である。
【図２】ドアハンドル装置の背面図である。
【図３】ドアハンドル装置の断面図で、（ａ）は初期回転状態における図２の３Ａ-３Ａ線断面図、（ｂ）は操作回転位置における図２の３Ａ-３Ａ線断面図である。
【図４】図１の変形例を示すドアハンドル装置の背面図である。
【図５】ドアハンドル装置の断面図で、（ａ）は初期回転状態における図４の５Ａ-５Ａ線断面図、（ｂ）は操作回転位置における図４の５Ａ-５Ａ線断面図である。
【図６】本発明の他の実施の形態の背面図である。
【図７】図６の７Ａ方向矢視図である。
【図８】図６の８Ａ-８Ａ線断面図で、（ａ）は初期回転状態を示す図、（ｂ）は操作回転位置を示す図である。
【発明を実施するための最良の形態】
【００１９】
図１に示すように、ドアロック操作装置は、ドアハンドル装置Ａと、伝達ケーブル７とを有して構成される。ドアハンドル装置Ａはハンドルベース２に操作ハンドル５を垂直回転操作可能に連結したいわゆるプルアップタイプのハンドル装置であり、ハンドルベース２において車両のドア１に固定される。
【００２０】
ドアハンドル装置Ａの下方（以下、本明細書において、図１（ａ）に示すドア１への取り付け状態を基準に「上下」、「正面、背面」を定義する。）には車体に形成された図外のストライカに係止してドア１の閉塞状態を維持するためのドアロック装置６が固定される。
【００２１】
ドアロック装置６にはロック解除操作部６ａと施錠操作部６ｂとが設けられ、ロック解除操作部６ａを上方に引き上げ操作することによってストライカとの係止が解除され、ドア１への開放操作が可能になる。アウタケーシング１４内にインナケーブル１６を移動自在に挿通させて形成される伝達ケーブル７は、ドアハンドル装置Ａとドアロック装置６を連結して操作ハンドル５への回転操作力をドアロック装置６に伝達する。この伝達ケーブル７は、引っ張り操作力によりインナケーブル１６をアウタケーシング１４内で駆動させるいわゆるプル式ケーブルが使用され、伝達ケーブル７のアウタケーシング１４の下端は適宜手段によりドアロック装置６に、上端はドアハンドル装置Ａの背面部に形成されたケーブル固定部１５に固定される。
【００２２】
また、ドアハンドル装置Ａには、シリンダ錠１７が装着され、シリンダ錠１７を施錠操作すると、ケーブル等のシリンダ錠連結部材１７ａを介して連結されたドアロック装置６の施錠操作部６ｂが操作されてドアロック装置６が施錠状態となる。施錠状態においてドアロック装置６はロック解除操作部６ａへの入力をキャンセルし、ドア１開放操作を規制する。
【００２３】
図２以下にドアハンドル装置Ａの詳細を示す。ドアハンドル装置Ａの操作ハンドル５は、手掛け部３の背面から２本のアーム部４を上方に突出させて形成され、アーム部４の上端部をハンドルベース２に突設されたベースアーム２ａに軸支してハンドルベース２に連結される。操作ハンドル５は、図３（ａ）に示すように、手掛け部３がハンドルベース２の表面に沿う初期回転位置と、図３（ｂ）に示す上方に引き上げられた操作回転位置との間で枢軸１８周りに回転自在であり、枢軸１８に装着されるトーションスプリング１９により初期回転位置側に付勢される。
【００２４】
上記操作ハンドル５の一方のアーム部４の上端には、車両への側方衝突時の慣性力により操作ハンドル５に発生する操作回転位置側への回転操作力を相殺するためのカウンタウエイト２０（図５参照）が固定されるウエイト取付孔４ａが形成される。
【００２５】
上記操作ハンドル５とハンドルベース２には変換レバー９が装着される。図３に示すように、変換レバー９は主片部１２と作動片部１３とを有して側面視"く"字形状をなす板状部材で、中央部の屈曲部箇所においてハンドルベース２に揺動自在に連結される。図２に示すように、連結状態において、変換レバー９は板厚面を背面方向に向けた姿勢で操作ハンドル５のアーム部４に沿うように配置され、支軸２１を揺動中心としてアーム部４の回転面に平行な面内で揺動する。
【００２６】
図３に示すように、変換レバー９の主片部１２には、上端に開放された長溝１０が形成され、この長溝１０に操作ハンドル５のアーム部４に突設されるピン形状の駆動突部１１が移動自在に挿入され、回り・滑り対偶が構成される。上述したように、変換レバー９と操作ハンドル５とは対偶により連結されるために、変換レバー９の操作ハンドル５への追随動作は保証される。このため、従動節としての変換レバー９を操作ハンドル５に圧接させて追随動を保証するためのスプリング等は要しないが、対偶における接触点が非圧接状態で接触すると、走行中の異音発生の原因となる場合がある。
【００２７】
これを防止するために、少なくと、長溝１０内周壁、あるいは駆動突部１１の外周壁のいずれか一方は合成樹脂材により形成されて金属接触による異音発生が防止される。変換レバー９に金属板材を使用するこの実施の形態において、駆動突部１１は合成樹脂材により形成され、あるいは金属製ピン部材の外周に合成樹脂製ブッシュを被せて形成されるが、操作ハンドル５が合成樹脂材により形成される場合には、駆動突部１１を操作ハンドル
５のアーム部４の肉質部から膨隆させて形成することもできる。
【００２８】
また、変換レバー９の作動片部１３の先端には伝達ケーブル７のインナケーブル１６を連結するための出力部８が形成される。図３において出力部８は丸孔として示されているが、インナケーブル１６の端末金具１６ａ（図１（ｃ）参照）の形状によって適宜変更される。
【００２９】
以上の変換レバー９は、図３（ａ）に示すように、操作ハンドル５が初期回転位置にあるときに、駆動突部１１のほぼ直下位置に支軸２１が配置され、出力部８とハンドルベース２に固定されるケーブル固定部１５のみがハンドルベース２の背面から突出する。
【００３０】
ケーブル固定部１５は、金属板材をＬ字形状に折り曲げたケーブル固定金具２２に形成される。ケーブル固定金具２２は固定片２２ａにおいてハンドルベース２に固定され、上記ケーブル固定部１５は、ハンドルベース２への固定状態においてハンドルベース２の背面から水平に突出するケーブル支持片２２ｂに形成される。ケーブル固定部１５は、伝達ケーブル７のアウタケーシング１４の先端金具１４ａに対応させて適宜形状に形成される。
【００３１】
図１（ｃ）に示すように、この実施の形態においてアウタケーシング１４の先端金具１４ａは、係止溝１４ｂを備えたキャップ形状を有しており、ケーブル固定部１５は、この係止溝１４ｃが弾発的に嵌合可能なように、一部が外方に開放された孔として形成される。
【００３２】
ドア１に固定されたハンドル装置には、以上のようにして、一端がドアロック装置６に固定される伝達ケーブル７のアウタケーシング１４の他端がケーブル固定部１５に固定され、さらに、インナケーブル１６の先端金具１６ａが変換レバー９の出力部８に連結される。この状態で図３（ｂ）に示すように、手掛け部３を引き出すようにして操作ハンドル５を反時計回りに回転操作すると、駆動突部１１により長溝１０の周壁が押されて変換レバー９は時計回りに揺動し、出力部８は上方に引き上げられる。
【００３３】
主片部１２と作動片部１３とのレバー比はドアロック装置６の動作ストロークを考慮して決定されており、出力部８の引き上げ動作に伴って伝達ケーブル７のインナケーブル１６には引っ張り力が付加され、ロック解除操作部６ａを駆動する。
【００３４】
したがってこの実施の形態において、ハンドル装置の背面部には、ハンドルベース２を収容するためのスペースに加え、変換レバー９の作動片部１３が進退するスリット状のスペースを設定するだけで、ハンドル装置を操作する際の部品同士の干渉を防止することができる。
【００３５】
図４，５に図１の変形例を示す。この変形例において、操作ハンドル５のアーム部４の先端にはカウンタウエイト２０が固定され、さらに、対偶部は、操作ハンドル５のアーム部４に開設された長孔からなる長溝１０と、変換レバー９から突設される駆動突部１１とから構成される。駆動突部１１は変換レバー９から片持状に立設され、アーム部４の長溝１０に移動自在に挿入される。
【００３６】
図５に示すように、操作ハンドル５を初期回転位置から操作回転位置まで回転操作すると、アーム部４の長溝１０の周壁により変換レバー９の駆動突部１１が押され、出力部８が上方に引き上げられ、結果、引っ張り操作力によってドアロック装置６が操作される。
【００３７】
図６以下に本発明の他の実施の形態を示す。なお、本実施の形態の説明において、上述した実施の形態と実質的に同一の構成要素は、図中に同一符号を付して説明を省略する。
【００３８】
この実施の形態において、操作ハンドル５のアーム部４は、図７、８に示すように、背面部両側から背面方向に突出する一対の取付片２３を有し、駆動突部１１は、取付片２３に両端が連結されて両端支持梁状に固定される。駆動突部１１には合成樹脂製のブッシュ１１ａが装着され、後述する長溝１０との摺接音等の発生が防がれる。
【００３９】
一方、変換レバー９は、作動片部１３にカウンタウエイト２０を備えるとともに、主片部１２に切欠状の長溝１０を備え、取付片２３間に挿入される主片部１２の長溝１０が駆動突部１１を挟み付けるように配置される。この実施の形態において、変換レバー９の支軸２１周りには、トーションスプリング２４が巻装され、長溝１０の内壁を駆動突部１１に押し付け、がたつきの発生が防がれる。
【００４０】
変換レバー９は、適度の質量が必要なカウンタウエイト２０を作動片部１３、および主片部１２と一体に形成するために、亜鉛ダイカスト等、金属材料の射出成形品として形成される。カウンタウエイト２０は、作動片１３の一側面から膨隆され、出力部８は、カウンタウエイト２０が膨隆される反対面に形成される。
【００４１】
なお、図６以下では、カウンタウエイト２０を変換レバー９に一体に形成する場合を示したが、カウンタウエイト２０を別体に形成して変換レバー９に固定してもよく、この場合、変換レバー９を金属板材により形成し、カウンタウエイト２０をカシメ等により固定したり、あるいは変換レバー９を合成樹脂材により形成し、変換レバー９に形成したウエイト保持部に金属製のカウンタウエイト２０を弾発的に嵌め込んで保持することができる。
【符号の説明】
【００４２】
１        ドア
２        ハンドルベース
３        手掛け部
４        アーム部
５        操作ハンドル
６        ドアロック装置
７        伝達ケーブル
８        出力部
９        変換レバー
１０      長溝
１１      駆動突部
１１ａ    ブッシュ
１２      主片部
１３      作動片部
１４      アウタケーシング
１５      ケーブル固定部
１６      インナケーブル
２０      カウンタウエイト
２３      取付片
Ａ        ドアハンドル装置
【図１】
2010133216.tif 000003
【図２】
2010133216.tif 000004
【図３】
2010133216.tif 000005
【図４】
2010133216.tif 000006
【図５】
2010133216.tif 000007
【図６】
2010133216.tif 000008
【図７】
2010133216.tif 000009
【図８】
2010133216.tif 000010